(57)【特許請求の範囲】
【請求項１】
電磁継電器のケーシング底面を、長辺と短辺とを有した縦横長方形状にし、その長辺方向一側部に、電磁コイルに通電するための二つのコイル用端子を、板面同志が短辺方向に向いて互いに対向する状態で平行状に突出し、長辺方向他側部に、可動接触子およびａ接点用の固定接触子にそれぞれ接続される二つの接触子用端子を、短辺から見たときコイル用端子の対向間に収まるようにして板面同志が長辺方向に向いて互いに対向する状態で平行状に突出して構成される電磁継電器を差し込むためのカプラであって、該カプラの継電器ケーシング長辺方向の寸法は、継電器ケーシングの長辺に対応した寸法に設定し、カプラの継電器ケーシング短辺方向の寸法は、コイル用端子を差し込むための差し込み孔が形成される部位については継電器ケーシングの短辺に対応した寸法に設定し、接触子用端子を差し込むための差し込み孔が形成される部位については、前記コイル用端子を差し込むための差し込み孔が形成される部位に対応した寸法よりも幅狭に設定すると共に、該幅狭部分の両外側面に、カプラ同志を互いに連結するための連結部を形成したことを特徴とする電磁継電器のカプラ構造。
【発明の詳細な説明】
【０００１】
【産業上の利用分野】
本発明は、複数のものを一連状に連結することができる電磁継電器のカプラ構造に関するものである。
【０００２】
【従来技術及び発明が解決しようとする課題】
一般に、電磁継電器は例えば自動車用電装品として多く使用されており、１台の車両においても複数個使用されている。そして、１台の車両に複数個の電磁継電器を使用する場合、その組付け性やメンテナンス性等の関係からそれらの電磁継電器を１箇所に集めるための電気接続箱が用いられており、この電気接続箱に複数の電磁継電器を接続して使用している。
【０００３】
ところで、電磁継電器を複数個接続して１箇所に集めるための電気接続箱は、汎用性を持たせるために電磁継電器を接続可能な数を多く設定するのが常である。従って、組付け性やメンテナンス性は向上することができても、電磁継電器の使用の数によっては余分な接続部が生じてしまい、この場合は無駄となると共にその取付けスペースを多大とするという問題がある。
【０００４】
【課題を解決するための手段】
本発明は、上記の如き実情に鑑みこれらの欠点を一掃することができる電磁継電器のカプラ構造を提供することを目的として創作されたものであって、電磁継電器のケーシング底面を、長辺と短辺とを有した縦横長方形状にし、その長辺方向一側部に、電磁コイルに通電するための二つのコイル用端子を、板面同志が短辺方向に向いて互いに対向する状態で平行状に突出し、長辺方向他側部に、可動接触子およびａ接点用の固定接触子にそれぞれ接続される二つの接触子用端子を、短辺から見たときコイル用端子の対向間に収まるようにして板面同志が長辺方向に向いて互いに対向する状態で平行状に突出して構成される電磁継電器を差し込むためのカプラであって、該カプラの継電器ケーシング長辺方向の寸法は、継電器ケーシングの長辺に対応した寸法に設定し、カプラの継電器ケーシング短辺方向の寸法は、コイル用端子を差し込むための差し込み孔が形成される部位については継電器ケーシングの短辺に対応した寸法に設定し、接触子用端子を差し込むための差し込み孔が形成される部位については、前記コイル用端子を差し込むための差し込み孔が形成される部位に対応した寸法よりも幅狭に設定すると共に、該幅狭部分の両外側面に、カプラ同志を互いに連結するための連結部を形成したことを特徴とする電磁継電器のカプラ構造である。
【０００５】
そして、本発明は、この構成によって、電磁継電器用の連結部スペースを小さくして、カプラをコンパクト化することができるようにしたものである。
【０００６】
【実施例】
次に、本発明の一実施例を図面に基づいて説明する。図面において、１はａ接点（メーク接点）用電磁継電器のケーシングであって、該ケーシング１の底面は、図４から明らかなように長辺と短辺とを有した縦横略長方形状になっており、その底面からは、電磁コイル２ａに通電するための一対のコイル用端子２と、電磁コイル２ａの励磁、消磁により可動する可動接触子３ａ（図示省略）に接続される可動接触子３ａ用の端子３と、電磁コイル２ａの励磁に伴う可動接触子３ａの移動で接触するａ接点用の固定接触子４ａ（図示省略）に接続される端子４とが突出しているが、これら端子２、３、４は次ぎのように突出している。
【０００７】
つまり、前記ケーシング１の底面の長辺（縦）方向一側部（図４の上側部）には、電磁コイルに通電するための二つのコイル用端子２、２が、板面同志が短辺（横）方向に向いて互いに対向する状態で間隙を存して平行状に突出し、長辺方向他側部（図４の下側部）には、可動接触子３ａおよびａ接点用の固定接触子４ａにそれぞれ接続される二つの接触子用端子３、４が、板面同志が長辺（縦）方向に向いて互いに対向する状態で間隙を存して平行状に突出している。さらに本実施例に採用されるものは、前記コイル用端子２、２のあいだに、可動接触子を消磁時に保持するための接触子用端子５が配置されているが、この端子は通電しないため、基板１ａから突出していない。また、必要に応じてこの端子に固定接触子を設けて突出するものにでき、これによって、ｂ接点用あるいは双方向接点用の電磁継電器とすることもできるが、以降、ａ接点用のものとして説明する。
尚、ケーシング１は絶縁材からなり、前記端子２、３、４が突出する基板１ａと、これに被冠するカバー体１ｂとから形成されている。また、電磁コイル２ａは、絶縁性のボビン２ｂに巻装されている。さらにまた、可動接触子用端子３は、ボビン２ｂの一端部を支持するヨーク３ｂに接続され、該ヨーク３ｂの先端に設けた可動接点用弾機３ｃの先端に可動接触子（接点）３ａが一体的に設けられている。
【０００８】
一方、６は前記端子２、３、４を差し込むためのカプラであって、該カプラ６には、前記各端子２、３、４に対応する差し込み孔６ａ、６ｂ、６ｃが形成されており（実施例では部品の共通化を計るため端子５用の差し込み孔６ｄも形成されている）、そして端子２、３、４を差し込んだ場合に、これら差し込み孔６ａ、６ｂ、６ｃに設けた端子（図示せず）に従来通り電気的に接続する構成になっているが、前記カプラ６の長辺（縦）方向の寸法Ｘは、ケーシング１の長辺（縦）方向の寸法Ａに略対応した寸法（実施例ではカプラ６の長辺方向の寸法Ｘの方がケーシング１の長辺方向の寸法Ａより少し小さい設定（Ｘ＜Ａ）になっている）に設定されている。
一方、カプラ６の短辺（横）方向の寸法については、コイル用端子２の差し込み孔６ａ、６ａが形成される部位はケーシング１の短辺（横幅）寸法Ｂに略対応した寸法（Ｂ、ＹまたはＢ＝Ｙ）に設定され、接触子用端子３、４用の差し込み孔６ｂ、６ｃが形成される部位はケーシング１の短辺寸法Ｂよりも幅狭の寸法Ｚ（Ｂ、Ｙ＞Ｚ）に設定されている。そしてこの幅狭寸法部位に、カプラ同志を互いに隣接するための雄雌差し込み式の連結部７、８が一体的に設けられている。
ここで、連結部７、８の連結は次ぎのように設定されている。つまり、雌側連結部７に形成の弾性辺７ａに係止爪７ｂが突設される一方、雄側連結部８に係止受け爪８ａが形成されている。そして両連結部７、８を差し込み連結させた場合に、係止爪７ｂが弾性辺７ａの弾性変形により係止受け爪８ａを山越えして係止することで抜止め状の連結がなされるようになっている。
【０００９】
叙述の如く構成された本発明の実施例において、電磁継電器は、ケーシング１から突出する端子２、３、４をカプラ６に設けられる差し込み孔６ａ、６ｂ、６ｃに差し込むことで電気的な接続がなされることになるが、この電磁継電器を複数配する場合に、これら各電磁継電器が差し込まれるカプラ６同志は、連結部７、８を互いに差し込むことで一連状に連結することができる。
【００１０】
この様に、本発明が実施されたものにあっては、複数の電磁継電器を差し込むための各カプラ６同志を一連状に連結することができるが、そのための連結部７、８は、カプラ６において、短辺寸法がケーシング１の短辺寸法Ｂに対し幅狭寸法Ｚに設定される部位、つまり接触子用端子３、４用の差し込み孔６ｂ、６ｃが形成される部位に形成されている。この結果、連結部がケーシングのコイル用端子２の差し込み孔６ａ、６ａが形成される部位の短辺寸法と同じ寸法のところに形成されるものに比して幅狭になり、この幅狭になった分、連結長を短くすることができ、電磁継電器の配設スペースをコンパクトにできると共に、カプラ６自体のコンパクト化が計れる。
しかも、連結部７、８を形成するにあたり、弾性辺７ｂの弾性変形幅を大きく確保することができ、これによって、連結機構のバネ性を向上できて都合がよい。
【００１１】
【作用効果】
以上要するに、本発明は叙述の如く構成されたものであるから、複数の電磁継電器を差し込むためのカプラは、接触子用端子を差し込むための差し込み孔が形成される部位が継電器ケーシングのコイル用端子を差し込むための差し込み孔が形成された部位の短辺幅よりも幅狭となって、該幅狭部分にカプラ同志を互いに連結するための連結部が形成されているので、カプラ同志の連結長さを短くすることができ、その結果、カプラ自体のコンパクト化と共に電磁継電器の配設スペースを小さくすることができる。
【図面の簡単な説明】
【図１】  電磁継電器のケーシングの正面図である。
【図２】  電磁継電器のケーシングの右側面図である。
【図３】  電磁継電器のケーシングの左側面図である。
【図４】  電磁継電器のケーシングの底面図である。
【図５】  電磁継電器のカプラの正面図である。
【図６】  電磁継電器のカプラの右側面図である。
【図７】  電磁継電器のカプラの左側面図である。
【図８】  電磁継電器のカプラの背面図である。
【図９】  電磁継電器のカプラの連結部の要部断面図である。
【符号の説明】
１  ケーシング
２  コイル用端子
３  可動接触子用端子
４  固定接触子用端子
６  カプラ
７  連結部
８  連結部
【図１】
0003919129.tif 000002
【図２】
0003919129.tif 000003
【図３】
0003919129.tif 000004
【図４】
0003919129.tif 000005
【図５】
0003919129.tif 000006
【図６】
0003919129.tif 000007
【図７】
0003919129.tif 000008
【図８】
0003919129.tif 000009
【図９】
0003919129.tif 000010